(57)【要約】【課題】作業者に通知すべき情報を限られた面積の表示部で通知する。【解決手段】ヒュームフードモニタ１３は、ヒュームフードを管理する上位装置から当該ヒュームフードに関するヒュームフード管理情報を受信するヒュームフード管理情報受信部１３７と、ヒュームフード管理情報を記憶する記憶部１３９と、ヒュームフード管理情報に含まれる情報のうち少なくとも１つを表示する情報出力部１４１と、表示切替操作が行われたかどうかを判定する操作監視部１４０とを備える。情報出力部１４１は、表示切替操作が行われたと判定された場合に、表示中の情報をヒュームフード管理情報に含まれる別の情報に切り替えて表示する。【選択図】  図５
2010122939.tif 000002
【特許請求の範囲】
【請求項１】
ヒュームフードを管理する上位装置から当該ヒュームフードに関するヒュームフード管理情報を受信するヒュームフード管理情報受信手段と、
前記ヒュームフード管理情報に含まれる情報のうち少なくとも１つを表示する情報出力手段と、
表示切替操作が行われたかどうかを判定する操作監視手段とを備え、
前記情報出力手段は、前記表示切替操作が行われたと判定された場合に、表示中の情報を前記ヒュームフード管理情報に含まれる別の情報に切り替えて表示することを特徴とするヒュームフードモニタ。
【請求項２】
請求項１記載のヒュームフードモニタにおいて、
さらに、直前の表示切替操作から一定時間内に次の表示切替操作がなかった場合に、表示中の情報を前記ヒュームフード管理情報に含まれる所定の初期表示情報に切り替えて表示する初期表示情報切替手段を備えることを特徴とするヒュームフードモニタ。
【請求項３】
ヒュームフードを管理する上位装置から当該ヒュームフードに関するヒュームフード管理情報を受信するヒュームフード管理情報受信手順と、
前記ヒュームフード管理情報に含まれる情報のうち少なくとも１つを表示する表示手順と、
表示切替操作が行われたかどうかを判定する判定手順と、
前記表示切替操作が行われる度に、表示中の情報を前記ヒュームフード管理情報に含まれる別の情報に切り替えて表示する表示切替手順とを備えることを特徴とするヒュームフード管理情報表示方法。
【請求項４】
請求項３記載のヒュームフード管理情報表示方法において、
さらに、直前の表示切替操作から一定時間内に次の表示切替操作がなかった場合に、表示中の情報を前記ヒュームフード管理情報に含まれる所定の初期表示情報に切り替えて表示する初期表示情報切替手順を備えることを特徴とするヒュームフード管理情報表示方法。
【発明の詳細な説明】
【技術分野】
【０００１】
本発明は、研究施設、工場、病院など、作業者の安全や製造物に対して危険を伴う環境において、発生する有毒ガス等を局所排気するヒュームフードの排気風量を制御する環境制御システムに係り、特にヒュームフードを使用する作業者に通知すべきヒュームフード管理情報を表示するヒュームフードモニタおよびヒュームフード管理情報表示方法に関するものである。
【背景技術】
【０００２】
化学実験では、実験作業過程において、人体に有害なガスや粉塵等が発生する場合が多い。これら有害物質の室内への拡散を防止し、人体への汚染を防ぐ装置の１つにヒュームフードがある。一般に、ヒュームフードは、上下または左右に開閉可能なサッシドア付きの囲い（エンクロージャ）を備えており、実験室の作業者はこのサッシドアからエンクロージャ内にアクセスすることができる。ヒュームフードで作業中の作業者が有害なガスや粉塵等に曝されないようにするために、エンクロージャは有害物質を除去する排気装置に接続されている。
【０００３】
図８はヒュームフードの外観を示す斜視図である。ヒュームフード１は、開閉可能なサッシ１０と、排気風量を制御するための排気バルブ１１と、検知範囲に人がいるかどうかを検出する人検知センサ１２と、ヒュームフード１を使用する作業者に情報を通知するためのヒュームフードモニタ１３と、サッシ１０の開度を検出する垂直サッシセンサ１４とを備えている。
従来のヒュームフードモニタで表示可能な情報は、警報とサッシ開口部の面風速である。ヒュームフードモニタには、ＬＥＤが設けられており、このＬＥＤの点灯／消灯により警報状態／正常状態が通知される。また、面風速は数値表示で通知される。
【０００４】
【非特許文献１】松村  昭男，「研究施設環境管理支援システムの開発」，Savemation Review  ２００４年２月号，株式会社山武，２００４年
【発明の開示】
【発明が解決しようとする課題】
【０００５】
ヒュームフードモニタは、ヒュームフード前面のサッシフレームに設置されることから、大きさが限られ、表示できる面積が限られており、ヒュームフードを使用する作業者に警報と面風速の情報しか伝えることができなかった。作業者に通知すべき情報は例えば使用時間、無駄時間、警報発生回数などといったように他にもあるが、全ての情報を同時に表示する程の面積をヒュームフードモニタ上に確保することは困難なため、作業者が知るべき全ての情報をヒュームフードモニタ上で確認することはできなかった。
【０００６】
本発明は、上記課題を解決するためになされたもので、作業者に通知すべき情報を限られた面積の表示部で通知することができるヒュームフードモニタおよびヒュームフード管理情報表示方法を提供することを目的とする。
【課題を解決するための手段】
【０００７】
本発明のヒュームフードモニタは、ヒュームフードを管理する上位装置から当該ヒュームフードに関するヒュームフード管理情報を受信するヒュームフード管理情報受信手段と、前記ヒュームフード管理情報に含まれる情報のうち少なくとも１つを表示する情報出力手段と、表示切替操作が行われたかどうかを判定する操作監視手段とを備え、前記情報出力手段は、前記表示切替操作が行われたと判定された場合に、表示中の情報を前記ヒュームフード管理情報に含まれる別の情報に切り替えて表示することを特徴とするものである。
また、本発明のヒュームフードモニタの１構成例は、さらに、直前の表示切替操作から一定時間内に次の表示切替操作がなかった場合に、表示中の情報を前記ヒュームフード管理情報に含まれる所定の初期表示情報に切り替えて表示する初期表示情報切替手段を備えることを特徴とするものである。
【０００８】
本発明のヒュームフード管理情報表示方法は、ヒュームフードを管理する上位装置から当該ヒュームフードに関するヒュームフード管理情報を受信するヒュームフード管理情報受信手順と、前記ヒュームフード管理情報に含まれる情報のうち少なくとも１つを表示する表示手順と、表示切替操作が行われたかどうかを判定する判定手順と、前記表示切替操作が行われる度に、表示中の情報を前記ヒュームフード管理情報に含まれる別の情報に切り替えて表示する表示切替手順とを備えることを特徴とするものである。
【発明の効果】
【０００９】
本発明によれば、表示切替操作に応じて、表示するヒュームフード管理情報を切り替えられるようにしたので、ヒュームフードモニタの限られた面積の表示部で様々なヒュームフード管理情報を表示することが可能になる。これにより、本発明では、作業者がヒュームフードを使用する際、適正に使用する、無駄時間を極力減らす、省エネルギーを考慮するといった意識付けを促進することができ、適正な運用、安全性の向上、省エネルギーの促進を実現することができる。
【００１０】
また、本発明では、直前の表示切替操作から一定時間内に次の表示切替操作がなかった場合、初期表示情報の表示に切り替えるようにしたので、作業者に最も通知したい情報である初期表示情報への戻し忘れを防ぐことができ、初期表示情報をできる限り長く表示することができる。
【発明を実施するための最良の形態】
【００１１】
以下、本発明の実施の形態について図面を参照して説明する。図１は本発明の実施の形態に係る環境制御システムの構成を示すブロック図である。環境制御システムは、複数のヒュームフード１と、各ヒュームフード１から稼働状態を表すデータを収集し、ヒュームフード１の排気バルブ１１を制御する複数の排気バルブコントローラ２と、収集されたデータに基づいて各ヒュームフード１を管理する上位装置である監視装置３と、各排気バルブコントローラ２と監視装置３とを接続するネットワーク４とを有する。図１に示した各ヒュームフード１は、全て同一の排気マニフォ−ルド５に接続され、排気されるものとし、排気マニフォ−ルド５の末端には排気ファン６が設けられている。
【００１２】
各排気バルブコントローラ２は、それぞれ対応するヒュームフード１から稼働状態を示すデータを収集する。ヒュームフード１から収集されるデータは、瞬時排気風量とサッシ開度と人検知センサ１２の検知結果（作業者の在／不在）のデータを含む。
【００１３】
各排気バルブコントローラ２は、それぞれ対応するヒュームフード１から収集したデータに基づいて排気風量を制御する。サッシ開度に応じてヒュームフード１の排気風量を変化させる変風量（VAV:Variable Air Volume ）方式の場合、各排気バルブコントローラ２は、それぞれ対応するヒュームフード１のサッシ５の開度を基にサッシ開口部の面風速が例えば０．５ｍ／ｓとなるようにヒュームフード１の排気バルブ１１を調節して排気風量を制御する。
【００１４】
また、作業者がいない場合は排気風量を低下させるＵＢＣ（Usage Based Controls（登録商標））方式の場合、各排気バルブコントローラ２は、それぞれ対応するヒュームフード１に設置された人検知センサ（不図示）により、ヒュームフード１の前に作業者がいるかどうかを確認し、作業者がいるときには排気バルブ１１を調節して排気風量を増やし、作業者がいないときには安全な待機レベルまで排気風量を低下させる。
そして、各排気バルブコントローラ２は、ヒュームフード１から収集したデータを監視装置３に送信する。
【００１５】
図２は監視装置３の構成例を示すブロック図である。監視装置３は、各排気バルブコントローラ２から送信されたデータを受信するデータ受信部３０と、データを記憶するデータ記憶部３１と、警報発生／復旧の判断に必要な情報および各ヒュームフード１の作業者に通知すべきヒュームフード管理情報を算出する演算部３２と、警報通知信号または復旧通知信号を出力する警報通知部３３と、ヒュームフード管理情報、警報通知信号または復旧通知信号を各排気バルブコントローラ２へ送信するデータ送信部３４とを有する。
【００１６】
図３は監視装置３の動作を示すフローチャートである。監視装置３のデータ受信部３０は、各排気バルブコントローラ２からデータを受信すると（図３ステップＳ１００においてＹＥＳ）、受信したデータをデータ記憶部３１に格納する（ステップＳ１０１）。
続いて、監視装置３の演算部３２は、各排気バルブコントローラ２から受信したデータに基づいて、警報発生／復旧の判断に必要な情報および各ヒュームフード１の作業者に通知すべきヒュームフード管理情報を算出する（ステップＳ１０２）。
【００１７】
警報発生／復旧の判断に必要な情報としては、例えば各ヒュームフード１の瞬時排気風量の合計値がある。ヒュームフード管理情報としては、例えばヒュームフード１毎のサッシ開口部の面風速、ヒュームフード１毎の使用時間、ヒュームフード１毎の無駄時間、ヒュームフード１毎の不在率、および警報発生回数がある。
【００１８】
各ヒュームフード１の瞬時排気風量の合計値は、各排気バルブコントローラ２から受信したデータに含まれる瞬時排気風量の値を合算すればよい。サッシ開口部の面風速は、各排気バルブコントローラ２から受信したデータに含まれるサッシ開度に基づいてヒュームフード１毎に算出することができる。使用時間は、サッシ１０が開いていて、且つヒュームフード１の前に作業者がいるときの時間であり、サッシ開度と人検知センサ１２の検知結果に基づいてヒュームフード１毎に算出することができる。無駄時間は、サッシ１０が開いているにも関わらずヒュームフード１の前に作業者がいないときの時間であり、サッシ開度と人検知センサ１２の検知結果に基づいてヒュームフード１毎に算出することができる。不在率は、無駄時間をサッシ１０が開いている時間で割った値であり、サッシ開度と人検知センサ１２の検知結果に基づいてヒュームフード１毎に算出することができる。
【００１９】
次に、監視装置３の警報通知部３３は、演算部３２が算出した瞬時排気風量の合計値と予め想定される排気風量の最大値である最大排気風量とを比較する（ステップＳ１０３）。最大排気風量は、排気系統７によって排出可能な排気風量の限界値を若干下回る値に設定されており、瞬時排気風量の合計値が最大排気風量を超えたとしても、作業者にとって直ぐに危険な状態にはならない値に予め設定されている。
【００２０】
警報通知部３３は、演算部３２が算出した瞬時排気風量の合計値が最大排気風量を超える場合（ステップＳ１０３においてＹＥＳ）、警報が発生したと判定し、データ送信部３４を通じて各排気バルブコントローラ２へ警報通知信号を送信する（ステップＳ１０４）。また、警報通知部３３は、排気バルブコントローラ２への警報通知後に、瞬時排気風量の合計値が最大排気風量以下になった場合（ステップＳ１０５においてＹＥＳ）、警報発生状態から正常状態に復旧したと判定し、データ送信部３４を通じて各排気バルブコントローラ２へ復旧通知信号を送信する（ステップＳ１０６）。なお、本実施の形態で説明した警報は１例であって、これに限るものではない。
【００２１】
演算部３２は、ステップＳ１０３において警報が発生したと判定された場合には、警報発生回数を１増やし、警報が発生していない場合または正常状態に復旧した場合には、現在の警報発生回数を維持する（ステップＳ１０７）。
【００２２】
そして、演算部３２は、ヒュームフード１毎のサッシ開口部の面風速とヒュームフード１毎の使用時間とヒュームフード１毎の無駄時間とヒュームフード１毎の不在率と警報発生回数とを含むヒュームフード管理情報を、データ送信部３４を通じて各排気バルブコントローラ２へ送信する（ステップＳ１０８）。なお、ヒュームフード管理情報のうちヒュームフード１毎に算出された情報の各々は、それぞれ対応するヒュームフード１を管理する排気バルブコントローラ２宛に送信される。
こうして、環境制御システムの動作が停止するまで（ステップＳ１０９においてＹＥＳ）、ステップＳ１００〜Ｓ１０８の処理が繰り返し実行される。
【００２３】
各排気バルブコントローラ２は、監視装置３から送られた警報通知信号、復旧通知信号、ヒュームフード管理情報をそれぞれ対応するヒュームフード１のヒュームフードモニタ１３に送信する。
【００２４】
次に、ヒュームフードモニタ１３の動作について説明する。図４はヒュームフードモニタ１３の外観を示す正面図である。ヒュームフードモニタ１３は、ヒュームフード管理情報を表示するための表示部１３０と、作業者が現在表示中の情報を識別するための識別ＬＥＤ１３１と、緊急排気運転を行うための緊急排気操作ボタン１３２と、音声を消音するためのミュートボタン１３３と、ヒュームフード管理情報の表示を切り替えるための表示切替ボタン１３４と、警報通知または復旧通知を行うための警報通知ＬＥＤ１３５と、警報通知または復旧通知を音声で行うためのスピーカ１３６とを有する。
【００２５】
図５はヒュームフードモニタ１３の構成例を示すブロック図である。ヒュームフードモニタ１３は、表示部１３０と、識別ＬＥＤ１３１と、緊急排気操作ボタン１３２と、ミュートボタン１３３と、表示切替ボタン１３４と、警報通知ＬＥＤ１３５と、スピーカ１３６と、監視装置３からヒュームフード管理情報を受信するヒュームフード管理情報受信部１３７と、監視装置３から警報通知信号または復旧通知信号を受信する警報受信部１３８と、情報を記憶する記憶部１３９と、緊急排気操作ボタン１３２とミュートボタン１３３と表示切替ボタン１３４の操作を監視する操作監視部１４０と、表示部１３０と識別ＬＥＤ１３１を使って情報を出力する情報出力部１４１と、警報通知ＬＥＤ１３５とスピーカ１３６を使って警報通知または復旧通知を行う警報出力部１４２と、直前の表示切替ボタン１３４の操作から一定時間内に次の表示切替ボタン１３４の操作がなかった場合に、表示中の情報を初期表示情報に切り替えて表示する初期表示情報切替部１４３と、緊急排気操作ボタン１３２の操作に応じてヒュームフード１の排気バルブ１１を制御し緊急排気運転等を行う制御部１４４とを有する。
【００２６】
図６はヒュームフードモニタ１３の動作を示すフローチャートである。ヒュームフードモニタ１３の警報受信部１３８は、排気バルブコントローラ２を介して監視装置３から警報通知信号を受信した場合（図６ステップＳ２００においてＹＥＳ）、警報通知信号を警報出力部１４２に渡す。警報通知信号を受信した警報出力部１４２は、警報通知ＬＥＤ１３５を点灯させ、スピーカ１３６から音声を出力させることにより、ヒュームフード１を使用する作業者に警報が発生したことを通知する（ステップＳ２０１）。
【００２７】
また、警報受信部１３８は、監視装置３から復旧通知信号を受信した場合（ステップＳ２００においてＹＥＳ）、復旧通知信号を警報出力部１４２に渡す。復旧通知信号を受信した警報出力部１４２は、警報通知ＬＥＤ１３５を消灯させ、スピーカ１３６から音声を出力させることにより、ヒュームフード１を使用する作業者に正常状態に復旧したことを通知する（ステップＳ２０１）。
【００２８】
一方、ヒュームフードモニタ１３のヒュームフード管理情報受信部１３７は、排気バルブコントローラ２を介して監視装置３からヒュームフード管理情報を受信した場合（ステップＳ２０２においてＹＥＳ）、このヒュームフード管理情報を記憶部１３９に格納する（ステップＳ２０３）。
【００２９】
ヒュームフードモニタ１３の情報出力部１４１は、記憶部１３９に格納されたヒュームフード管理情報のうち、予め初期表示情報として設定されている情報を表示部１３０に表示させ、この初期表示情報に対応する識別ＬＥＤ１３１を点灯させる（ステップＳ２０４）。図４の例では、面風速の情報が初期表示情報となっており、面風速に対応する識別ＬＥＤ１３１が点灯している。
【００３０】
次に、ヒュームフードモニタ１３の操作監視部１４０は、表示切替ボタン１３４が操作されたかどうかを判定する（ステップＳ２０５）。情報出力部１４１は、ステップＳ２０５において表示切替ボタン１３４が操作されたと判定された場合、表示部１３０に現在表示中の情報を、ヒュームフード管理情報のうち表示順位が２番目に設定されている情報の表示に切り替え、この切替後の情報に対応する識別ＬＥＤ１３１を点灯させる（ステップＳ２０６）。
【００３１】
続いて、操作監視部１４０は、直前の表示切替ボタン１３４の操作から一定時間内（例えば１５秒程度）に表示切替ボタン１３４が再度操作されたかどうかを判定する（ステップＳ２０７）。情報出力部１４１は、ステップＳ２０７において一定時間内に表示切替ボタン１３４が操作されたと判定された場合、表示部１３０に現在表示中の情報を、ヒュームフード管理情報のうち表示順位が３番目に設定されている情報の表示に切り替え、この切替後の情報に対応する識別ＬＥＤ１３１を点灯させる（ステップＳ２０６）。
【００３２】
こうして、表示切替ボタン１３４が操作される度にヒュームフード管理情報の表示を切り替える。図７の例では、ヒュームフード管理情報として不在率の値が表示されており、不在率に対応する識別ＬＥＤ１３１が点灯している。本実施の形態では、ヒュームフード管理情報のうち、面風速の表示順位が１番（初期表示）、使用時間の表示順位が２番、無駄時間の表示順位が３番、不在率の表示順位が４番、警報発生回数の表示順位が５番となっている。したがって、表示切替ボタン１３４が操作される度に、面風速→使用時間→無駄時間→不在率→警報発生回数→面風速→・・・・の順で表示が切り替わる。なお、この表示順位は１例であって、これに限るものではない。例えば無駄時間を初期表示情報としてもよい。
【００３３】
また、初期表示情報切替部１４３は、直前の表示切替ボタン１３４の操作から一定時間内に表示切替ボタン１３４の再操作がなかった場合、表示部１３０に現在表示中の情報を初期表示情報の表示に切り替え、初期表示情報に対応する識別ＬＥＤ１３１を点灯させる（ステップＳ２０８）。
こうして、環境制御システムの動作が停止するまで（ステップＳ２０９においてＹＥＳ）、ステップＳ２００〜Ｓ２０８の処理が繰り返し実行される。
【００３４】
以上のように、本実施の形態では、ヒュームフードモニタにヒュームフード管理情報を表示するにあたり、表示切替ボタンの操作に応じて、表示するヒュームフード管理情報を切り替えられるようにした。これにより、本実施の形態では、ヒュームフードモニタの限られた面積の表示部で様々なヒュームフード管理情報を表示することが可能になる。
【００３５】
ヒュームフードを管理する上で絶対に維持しなくてはならないことは作業者の安全であるが、省エネルギー等の考慮も必要となる。特に、使用していない状況でサッシが開いていると、無駄なエネルギーを使用してしまうことになる。したがって、無駄時間等のヒュームフード管理情報を作業者に通知することは省エネルギーにとって有効であるが、従来のヒュームフードモニタでは、表示できる面積の問題から警報と面風速の情報しか作業者に伝えることができなかった。これに対して、本実施の形態では、警報と面風速以外の情報も作業者に伝えることができるので、現在のヒュームフードのより詳細な運用状況を作業者に伝えることができる。これにより、作業者がヒュームフードを使用する際、適正に使用する、無駄時間を極力減らす、省エネルギーを考慮するといった意識付けを促進することができ、適正な運用、安全性の向上、省エネルギーの促進を実現することができる。
【００３６】
また、本実施の形態では、直前の表示切替ボタンの操作から一定時間内に表示切替ボタンの再操作がなかった場合、初期表示情報の表示に切り替えるようにしたので、作業者に最も通知したい情報である初期表示情報への戻し忘れを防ぐことができ、初期表示情報をできる限り長く表示することができる。
【００３７】
なお、本実施の形態において排気バルブコントローラ２と監視装置３とヒュームフードモニタ１３の各々は、それぞれＣＰＵ、メモリおよびインタフェースを備えたコンピュータとこれらのハードウェア資源を制御するプログラムによって実現することができる。排気バルブコントローラ２と監視装置３とヒュームフードモニタ１３の各々のＣＰＵは、メモリに格納されたプログラムに従って本実施の形態で説明した処理を実行する。
【産業上の利用可能性】
【００３８】
本発明は、ヒュームフードを使用する作業者に通知すべきヒュームフード管理情報を表示するヒュームフードモニタに適用することができる。
【図面の簡単な説明】
【００３９】
【図１】本発明の実施の形態に係る環境制御システムの構成を示すブロック図である。
【図２】本発明の実施の形態に係る監視装置の構成を示すブロック図である。
【図３】本発明の実施の形態に係る監視装置の動作を示すフローチャートである。
【図４】本発明の実施の形態に係るヒュームフードモニタの外観を示す正面図である。
【図５】本発明の実施の形態に係るヒュームフードモニタの構成を示すブロック図である。
【図６】本発明の実施の形態に係るヒュームフードモニタの動作を示すフローチャートである。
【図７】本発明の実施の形態に係るヒュームフードモニタの表示例を示す正面図である。
【図８】ヒュームフードの外観を示す斜視図である。
【符号の説明】
【００４０】
１…ヒュームフード、２…排気バルブコントローラ、３…監視装置、４…ネットワーク、５…排気マニフォ−ルド、６…排気ファン、１０…サッシ、１１…排気バルブ、１２…人検知センサ、１３…ヒュームフードモニタ、１４…垂直サッシセンサ、３０…データ受信部、３１…データ記憶部、３２…演算部、３３…警報通知部、３４…データ送信部、１３０…表示部、１３１…識別ＬＥＤ、１３２…緊急排気操作ボタン、１３３…ミュートボタン、１３４…表示切替ボタン、１３５…警報通知ＬＥＤ、１３６…スピーカ、１３７…ヒュームフード管理情報受信部、１３８…警報受信部、１３９…記憶部、１４０…操作監視部、１４１…情報出力部、１４２…警報出力部、１４３…初期表示情報切替部、１４４…制御部。
【図１】
2010122939.tif 000003
【図２】
2010122939.tif 000004
【図３】
2010122939.tif 000005
【図４】
2010122939.tif 000006
【図５】
2010122939.tif 000007
【図６】
2010122939.tif 000008
【図７】
2010122939.tif 000009
【図８】
2010122939.tif 000010